(57)【要約】【課題】簡易な構成で、測定側の処理負担を軽減し、これにより伝送区間における伝送信号の伝送遅延時間を容易に測定可能とする。【解決手段】放送局１００にてＡＣキャリアのうち無変調時に位相が常に連続となるＡＣＣＯＮＴキャリアの位相を変更し、受信側測定装置２００でＢＰＦ２０５を用いてＡＣＣＯＮＴキャリアを抽出し、ＡＣＣＯＮＴキャリアの位相変化を変化時刻測定装置２０６で検出する。そして、変化時刻測定装置２０６では、位相変化が検出された場合に、その検出時の時刻情報をＧＰＳ受信機２０１の出力から取得し、この取得結果を遅延測定装置３００に出力する。以後、遅延測定装置３００では、放送局１００にてＡＣＣＯＮＴキャリアの位相を変更した際の時刻情報と、受信側測定装置２００で得られた時刻情報とを比較することで、放送局１００から受信側測定装置２００へ伝送されるＯＦＤＭ信号の遅延時間を求める。【選択図】　　図１
2004104236.tif 000002
【特許請求の範囲】
【請求項１】
無変調時に位相が常に連続となる特定キャリアを有する伝送信号について、伝送遅延時間を測定する伝送遅延時間測定システムであって、
前記伝送信号を生成する伝送信号生成装置に対し、変更指示に従って前記特定キャリアの信号波形を変更させる信号波形変更手段と、
この信号波形変更手段の変更時刻情報を取得する第１の時刻情報取得手段と、前記伝送信号生成装置で生成された伝送信号を直接または伝送路を介して入力し、前記特定キャリアを抽出するキャリア抽出手段と、
このキャリア抽出手段の出力から前記変更指示に伴う波形変化点を検出する変化点検出手段と、
この変化点検出手段の検出時刻情報を取得する第２の時刻情報取得手段と、
前記第１及び第２の時刻情報取得手段の取得結果に基づいて伝送遅延時間を求める演算手段とを具備することを特徴とする伝送遅延時間測定システム。
【請求項２】
前記伝送信号がＩＳＤＢ−Ｔ方式で規定されるＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘ）信号であるとき、前記信号波形変更手段は、前記変更指示に従ってＡＣ（Ａｕｘｉｌｉａｒｙ　Ｃｈａｎｎｅｌ）キャリアのうち、そのキャリアのキャリア番号（セグメント１１の最低周波数のキャリアを０番とする全帯域連続する番号）から中心周波数に対応するキャリア番号を差し引いた値にガードインターバル比を乗算した値が整数となる特定のキャリアの信号波形を変化させることを特徴とする請求項１記載の伝送遅延時間測定システム。
【請求項３】
前記信号波形変更手段は、前記変更指示に従って前記伝送信号生成装置に対し前記特定キャリアの位相変更を実行させるものとし、
前記変化点検出手段は、前記キャリア抽出手段の出力から前記特定キャリアの位相変化点を検出することを特徴とする請求項１記載の伝送遅延時間測定システム。
【請求項４】
前記キャリア抽出手段は、前記伝送信号のうち前記特定キャリアのみを通過させるフィルタを備えることを特徴とする請求項１記載の伝送遅延時間測定システム。
【請求項５】
前記第１及び第２の時刻情報取得手段は、衛星測位システムの衛星から送られる時刻情報を基準時刻とすることを特徴とする請求項１記載の伝送遅延時間測定システム。
【請求項６】
請求項１記載の伝送遅延時間測定システムを用いて前記ＯＦＤＭ信号の伝送遅延時間を測定する測定方法であって、
前記伝送信号生成装置の出力を直接前記キャリア抽出手段に入力して、前記演算手段により前記伝送信号生成装置の処理にかかる伝送遅延時間を測定する第１のステップと、
前記伝送信号生成装置の出力を伝送路を介して前記キャリア抽出手段に入力して、前記演算手段により前記伝送信号生成装置の処理時間を含む伝送遅延時間を測定する第２のステップと、
前記第２のステップで得られた伝送遅延時間から前記第１のステップで得られた伝送遅延時間を差し引くことで、前記伝送路における伝送遅延時間を求める第３のステップとを具備することを特徴とする伝送遅延時間測定方法。
【発明の詳細な説明】
【０００１】
【発明の属する技術分野】
この発明は、例えばＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘ）方式によるデジタル放送等のＯＦＤＭ伝送信号を伝送する場合に、伝送区間におけるＯＦＤＭ伝送信号の伝送遅延を測定するための伝送遅延時間測定システムとその測定方法に関する。
【０００２】
【従来の技術】
近時、地上波におけるデジタルテレビジョン放送の標準方式（ＩＳＤＢ−Ｔ）が決定され、実用化に向けて種々の開発が進められている。特に、欧州と日本においては直交周波数分割多重（以下、ＯＦＤＭという）方式が伝送方式として採用されることが決定され、特に欧州においては規格化が完了し実用レベルに達している。このＯＦＤＭ方式は、広帯域信号を互いに直交する多数の搬送波（以下、キャリアという）で伝送することにより、地上テレビジョン放送において必須の伝送条件であるマルチパス伝搬路における耐遅延干渉特性を改善できる等の特徴がある。
【０００３】
ところで、地上デジタルテレビジョン放送にあっては、互いに離れた複数の地点に設置された送信局または中継局からＯＦＤＭ信号を送信する単一周波数網（ＳＦＮ：Ｓｉｎｇｌｅ　Ｆｒｅｑｕｅｎｃｙ　Ｎｅｔｗｏｒｋ）を構成することが予定されている。この場合、受信側で複数局からのＯＦＤＭ信号を受信すると、各信号間で遅延が生じることがある。このため、受信側において、各ＯＦＤＭ信号の遅延量を許容範囲内に抑えるために、該遅延量を正確に測定する必要が生じる。
【０００４】
図４は、伝送遅延量を測定するためのシステム構成を示すブロック図である。図４において、符号１１は基準信号として基準時刻、基準クロックを生成する基準信号源で、この基準信号源１１で生成される基準信号は、ＴＳ−ＴＥＳＴ信号生成装置１２、ＯＦＤＭ変調装置１３、遅延部１４、伝送部１５、基準ＯＦＤＭ変調装置１６及び基準伝送部１７に供給され、それぞれの信号処理に供される。
【０００５】
ＴＳ−ＴＥＳＴ信号生成装置１２は、基準信号に基づいて測定用のＴＳ（トランスポートストリーム、以下ＴＳ−ＴＥＳＴ信号と称する）を生成するもので、その出力はＯＦＤＭ変調装置１３及び基準ＯＦＤＭ変調装置１６に送られる。ＯＦＤＭ変調装置１３は、ＴＳ−ＴＥＳＴ信号生成装置１２の出力を所定モードのサブキャリアに順次割り当て、ＩＦＦＴ（逆高速フーリエ変換）処理により周波数領域から時間軸領域に変換してＯＦＤＭ信号を生成するもので、ここで得られたＯＦＤＭ信号は遅延部１４で直交変調、周波数変換等の信号処理による遅延が与えられた後、伝送部１５を介して受信側の加算部１８に供給される。
【０００６】
また、基準ＯＦＤＭ変調装置１６で生成された基準ＯＦＤＭ信号は、基準伝送部１７を介して加算部１８に供給される。加算部１８は、ＯＦＤＭ信号と基準ＯＦＤＭ信号とを加算し、その加算結果をスペクトラムアナライザ／遅延プロファイル測定装置１９に出力する。スペクトラムアナライザ／遅延プロファイル測定装置１９は、加算部１８の加算出力をスペクトラム分析し、この分析結果に基づいてＯＦＤＭ信号の遅延時間を測定する。
【０００７】
しかしながら、上記構成では、遅延量が既知のＯＦＤＭ変調装置１３が必ず必要な点、ＯＦＤＭ変調装置１６とスペクトラムアナライザ／遅延プロファイル測定装置１９とが場所として離れている場合に、基準ＯＦＤＭ変調装置１６への入力信号を基準伝送部１７が既知の遅延量となる地点まで伝送し、基準側のトータルの遅延量を既知とする必要が生じる。
【０００８】
図５は、伝送遅延量を測定するためのシステム構成の他の例を示すブロック図である。
図５において、ＴＳ−ＴＥＳＴ信号生成装置２１で生成されるＴＳはＯＦＤＭ変調装置２２及び変化時刻測定装置２３に送られる。ＯＦＤＭ変調装置２２で得られたＯＦＤＭ信号は、伝送部２４を介して受信側となるＯＦＤＭ復調装置２５に送られる。ＯＦＤＭ復調装置２５は、送られてきたＯＦＤＭ信号からフレーム同期信号、ＴＳパケット、ＡＣ信号といった各種信号を復調し、これら各信号をＴＳ分析測定装置２６及び変化時刻測定装置２７に出力する。
ＴＳ分析測定装置２６は、ＯＦＤＭ復調装置２５の復調出力を分析し、この分析結果を変化時刻測定装置２７に出力する。
【０００９】
変化時刻測定装置２３は、別途提供される測定信号に従ってＴＳ−ＴＥＳＴ信号生成装置２１の出力の測定点を検出し、その検出時の時刻情報を外部から取得する。一方、変化時刻測定装置２７は、ＴＳ分析測定装置２６の出力に基づいて、ＯＦＤＭ復調装置２５の出力から測定点を取得するとともに、その取得時間情報を外部から取込む。各変化時刻測定装置２３，２７の出力は、それぞれ遅延測定装置２８に供給される。遅延測定装置２８は、各変化時刻測定装置２３，２７の出力から時間差を求め、その時間差からＯＦＤＭ信号の伝送遅延時間を求める。
この場合、ＯＦＤＭ変調装置２２と測定装置となるＯＦＤＭ復調装置２５及びＴＳ分析測定装置２６の設置場所が違っていても、変化時刻測定装置２３，２７に対する時刻が同じであれば容易にＯＦＤＭ信号の伝送遅延時間を測定可能となる。
【００１０】
しかしながら、ＯＦＤＭ復調装置２５の出力を用いてＯＦＤＭ信号の伝送遅延時間を測定する場合には、測定装置としてＯＦＤＭ復調装置２５の遅延量が既知であることが必要であるとともに、変化時刻測定装置２３にＴＳ解析機能を持たせる必要がある。
また、ＯＦＤＭ復調装置２５では、ＩＦＦＴ処理、同期再生、伝送路復号といった処理が必要であるため、処理遅延が大きくなる。
さらに、ＴＳ分析測定装置２４の出力を測定する場合には、このＴＳ分析測定装置２４に要する処理量分の処理遅延が生じることになる。
【００１１】
【発明が解決しようとする課題】
以上述べたように、地上デジタルテレビジョン放送において、従来では伝送区間におけるＯＦＤＭ伝送信号の遅延時間を測定するための有効な手段がなかった。
そこで、この発明の目的は、簡易な構成で、測定側の処理負担を軽減し、これにより伝送区間における伝送信号の伝送遅延時間を容易に測定し得る伝送遅延時間測定システムとその測定方法を提供することにある。
【００１２】
【課題を解決するための手段】
この発明は、上記目的を達成するために、以下のように構成される。
（１）無変調時に位相が常に連続となる特定キャリアを有する伝送信号について、伝送遅延時間を測定する伝送遅延時間測定システムであって、伝送信号を生成する伝送信号生成装置に対し、変更指示に従って特定キャリアの信号波形を変更させる信号波形変更手段と、この信号波形変更手段の変更時刻情報を取得する第１の時刻情報取得手段と、伝送信号生成装置で生成された伝送信号を直接または伝送路を介して入力し、特定キャリアを抽出するキャリア抽出手段と、このキャリア抽出手段の出力から変更指示に伴う波形変化点を検出する変化点検出手段と、この変化点検出手段の検出時刻情報を取得する第２の時刻情報取得手段と、第１及び第２の時刻情報取得手段の取得結果に基づいて伝送遅延時間を求める演算手段とを備えるようにしたものである。
【００１３】
（１）の発明によれば、無変調時に位相が常に連続となる特定キャリアに着目して、送信側で変更指示に従い特定キャリアの信号波形を変更し、受信側でその特定キャリアを抽出することで変更指示に伴う信号波形の変化点が検出される。そして、信号波形の変化点が検出された場合に、その検出時の時刻情報が取得される。以後、送信側で信号波形を変更した変更時刻情報と、受信側で得られた検出時刻情報との時間差が求められ、これにより送信側から受信側へ伝送される伝送信号の遅延時間が求められる。従って、特別な測定器を用いることなく、受信側では特定キャリアを抽出するだけ、容易に伝送信号の伝送遅延時間を測定することができる。
【００１４】
（２）伝送信号がＩＳＤＢ−Ｔ方式で規定されるＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘ）信号であるとき、信号波形変更手段は、変更指示に従ってＡＣ（Ａｕｘｉｌｉａｒｙ　Ｃｈａｎｎｅｌ）キャリアのうち、そのキャリアのキャリア番号（セグメント１１の最低周波数のキャリアを０番とする全帯域連続する番号）から中心周波数に対応するキャリア番号を差し引いた値にガードインターバル比を乗算した値が整数となる特定のキャリアの信号波形を変化させることを特徴とする。
（２）の発明によれば、伝送信号がＩＳＤＢ−Ｔ方式で規定されているとき、変更する際の特定キャリアを複数あるＡＣキャリアの中から効率良く決めることができる。
【００１５】
（３）信号波形変更手段は、変更指示に従って伝送信号生成装置に対し特定キャリアの位相変更を実行させるものとし、変化点検出手段は、キャリア抽出手段の出力から特定キャリアの位相変化点を検出することを特徴とする。
（３）の発明によれば、無変調時に位相が常に連続となる特定キャリアに着目して、変更指示に従い特定キャリアの位相を変更することにより、受信側で特定キャリアを抽出して位相変化点を検出するようにすれば、特別な測定器を用いることなく、容易に伝送信号の伝送遅延時間を測定することができる。
【００１６】
（４）キャリア抽出手段は、伝送信号のうち特定キャリアのみを通過させるフィルタを備える。
（４）の発明によれば、受信側では特定キャリアを抽出するフィルタだけ用意すればよいので、伝送信号の伝送遅延時間を測定するための受信側の構成としては、簡単な構成で済み、また特別な測定器を用いない分、処理負担を軽減できる。
【００１７】
（５）第１及び第２の時刻情報取得手段は、衛星測位システムの衛星から送られる時刻情報を基準時刻とすることを特徴とする。
（５）の発明によれば、送信側と受信側において、ＧＰＳ（Ｇｌｏｂａｌ　Ｐｏｓｉｔｉｏｎｉｎｇ　Ｓｙｓｔｅｍ）といった既知の衛星測位システムを利用して時刻情報を取込むようにしたので、互いに同じ時刻情報を得ることができ、これにより時刻情報取得に関する信頼性を向上させることができる。
【００１８】
（６）伝送信号生成装置の出力を直接前記キャリア抽出手段に入力して、演算手段により伝送信号生成装置の処理にかかる第１の伝送遅延時間を測定し、伝送信号生成装置の出力を伝送路を介してキャリア抽出手段に入力して、演算手段により伝送信号生成装置の処理時間を含む第２の伝送遅延時間を測定し、第２の伝送遅延時間から第１の伝送遅延時間を差し引くことで、伝送路における伝送遅延時間を求めるようにしたものである。
（６）の発明によれば、送信地点において、特定キャリアの信号波形変更時に、伝送信号の生成により生じる遅延時間を求めることができ、この遅延時間を利用して、送信地点から受信地点への伝送信号の伝搬遅延時間のみを求めることができる。
【００１９】
【発明の実施の形態】
以下、この発明の実施形態について図面を参照して詳細に説明する。
図１は、この発明に係わる伝送遅延時間測定システムを適用した、地上デジタル放送システムの概略構成を示すブロック図である。
【００２０】
図１において、ＧはＧＰＳ衛星であり、放送局１００及び受信側測定装置２００はそれぞれＧＰＳ衛星Ｇからの信号を受信するためのＧＰＳ受信機１０１，２０１を備えている。
放送局１００は、ＡＣ−ＴＥＳＴ信号生成装置１０２、ＯＦＤＭ変調装置１０３、変化時刻測定装置１０４、送信装置１０５及び送信アンテナ１０６を備える。
【００２１】
ＡＣ−ＴＥＳＴ信号生成装置１０２は、測定信号が与えられると、この測定信号に従ってＡＣキャリアのうちの特定キャリア（以下、ＡＣＣＯＮＴキャリアと称する）の信号波形を変更するための変更指示情報（以下、ＡＣデータと称する）を生成し、このＡＣデータをＯＦＤＭ変調装置１０３及び変化時刻測定装置１０４に供給する。ＯＦＤＭ変調装置１０３は、入力されたＡＣデータに従って、ＡＣＣＯＮＴキャリアの信号成分を変調してＯＦＤＭ信号を生成する。ここで得られたＯＦＤＭ信号は送信装置１０５で電力増幅されて送信アンテナ１０６から所定の領域に向けて送出される。
変化時刻測定装置１０４は、ＡＣデータが与えられると、ＧＰＳ受信機１０１の出力から時刻情報を生成し、その時刻情報を外部に設けられる遅延測定装置３００に出力する。
【００２２】
一方、受信側測定装置２００において、受信アンテナ２０２及び受信装置２０３は、上記放送局１００からのＯＦＤＭ信号を受信し、この受信信号をＯＦＤＭ復調装置２０４及びＢＰＦ２０５に出力する。ＯＦＤＭ復調装置２０４は、入力された受信信号を復調する。ＢＰＦ２０５は、受信信号に含まれるＡＣＣＯＮＴキャリアのみを通過させ、変化時刻測定装置２０６にその通過信号を出力する。変化時刻測定装置２０６は、ＢＰＦ２０５を通過したキャリアから上記変更指示に伴う信号波形の変化を検出し、その検出時の時刻情報をＧＰＳ受信機２０１の出力から生成する。この時刻情報は、遅延測定装置３００に出力される。
遅延測定装置３００は、変化時刻測定装置１０４からの時刻情報と変化時刻測定装置２０６からの時刻情報とを比較して、放送局１００から受信側測定装置２００へ伝送されるＯＦＤＭ信号の伝送遅延時間を求める。
【００２３】
上記構成において、以下にその処理動作を説明する。
まず、ＩＳＤＢ−Ｔ方式のＯＦＤＭ信号において、上記ＡＣＣＯＮＴキャリアは、ＡＣキャリアのうち、以下の条件を満たす。すなわち、
ｋ：セグメント１１番のキャリアを０番とする全帯域連続なキャリア番号
ｋｃ：ＯＦＤＭ信号の中心周波数に対応するキャリア番号（Ｍｏｄｅ１：７０２，Ｍｏｄｅ２：１４０４，Ｍｏｄｅ３：２８０８）
Ｔｇｒ：ガードインターバル比
とした時、キャリア番号ｋがあるモード、ガードインターバル比に対して、（ｋ−ｋｃ）×Ｔｇｒの値が整数である。
そして、ＡＣＣＯＮＴは、フレーム先頭の差動基準信号を除き「０」で変調されると、差動基準信号で初期位相が確定する正弦波となる。差動基準信号は、同一キャリア数であれば常に同じ値をとるため、ＡＣデータ「０」で変調をかけると正弦波となる。
【００２４】
放送局１００において、ＡＣ−ＴＥＳＴ信号生成装置１０２は、測定信号が与えられると、ＡＣデータを「１」にして、ＯＦＤＭ変調装置１０３に出力する。同時に、変化時刻測定装置１０４は、測定信号及び変更指示情報が与えられると、ＧＰＳ受信機１０１の出力から時刻情報を生成する。このときの時刻をＴ１とする。
ＯＦＤＭ変調装置１０３は、ＡＣ−ＴＥＳＴ信号生成装置１０２からのＡＣデータに従って、ＡＣＣＯＮＴキャリアの信号成分を変調するもので、ＡＣデータが「１」である場合に、ＡＣＣＯＮＴキャリアの位相を反転させて、ＯＦＤＭ信号を生成する。
【００２５】
そして、ＯＦＤＭ変調装置１０３の出力は、送信装置１０５及び送信アンテナ１０６を介して受信側測定装置２００に送信される。受信側測定装置２００では、受信したＯＦＤＭ信号をＢＰＦ２０５に通すことで、ＡＣＣＯＮＴキャリアを抽出し、このＡＣＣＯＮＴキャリアを変化時刻測定装置２０６に入力する。変化時刻測定装置２０６は、入力信号がある変更タイミングで位相が１８０°シフトすることから、ＡＣデータを「１」にしたときの信号の変化点を容易に特定できる。その時刻を時刻Ｔ２とする。そして、遅延測定装置３００では、各変化時刻測定装置１０４，２０６から得られた時刻の差をとることにより（時刻Ｔ１−時刻Ｔ２）、遅延時刻が得られる。
【００２６】
以上のように上記実施形態では、放送局１００にてＡＣキャリアのうち無変調時に位相が常に連続となるＡＣＣＯＮＴキャリアの位相を変更し、受信側測定装置２００でＢＰＦ２０５を用いてＡＣＣＯＮＴキャリアを抽出することで信号波形の変化が変化時刻測定装置２０６で検出される。そして、変化時刻測定装置２０６では、信号波形の変化が検出された場合に、その検出時の時刻情報をＧＰＳ受信機２０１の出力から取得し、この取得結果を遅延測定装置３００に出力する。以後、遅延測定装置３００では、放送局１００にてＡＣＣＯＮＴキャリアの位相を変更した際の時刻情報と、受信側測定装置２００で得られた時刻情報とを比較することで、放送局１００から受信側測定装置２００へ伝送されるＯＦＤＭ信号の遅延時間が求められる。
従って、特別な測定器を用いることなく、受信側測定装置２００ではＡＣＣＯＮＴキャリアを抽出するＢＰＦ２０５だけ用意するだけで、容易にＯＦＤＭ信号の伝送遅延時間を測定することができる。また、受信側測定装置２００ではＡＣＣＯＮＴキャリアを抽出するＢＰＦ２０５だけ用意するだけでよいので、簡単な構成で済み、信号波形の変化点を検出する際の処理負担を軽減できる。
【００２７】
また、上記実施形態によれば、放送局１００及び受信側測定装置２００で、ＧＰＳ衛星Ｇからの信号を受信して互いに同じ基準時刻を得ることができ、これにより時刻情報取得に関する信頼性を向上させることができる。
なお、この発明は上記実施形態の構成に限定されるものではない。例えば図２に示すようにＯＦＤＭ変調装置１０３の出力を、送信装置１０５及び送信アンテナ１０６を経由せずに、直接ＢＰＦに入力してＯＦＤＭ変調装置１０３の処理時間を測定するような構成を採るようにしてもよい。なお、図２において、上記図１と同一部分には同一符号を付して示す。
【００２８】
すなわち、ＯＦＤＭ変調装置１０３の出力は、送信装置１０５に供給されるとともに、ＢＰＦ１０７に供給される。ＢＰＦ１０７は、入力信号に含まれるＡＣＣＯＮＴキャリアのみを通過させ、変化時刻測定装置１０８にその通過信号を出力する。変化時刻測定装置１０８は、ＢＰＦ１０７を通過したキャリアから上記変更指示に伴う信号波形の変化を検出し、その検出時の時刻情報を外部から得る。この時刻情報は、遅延測定装置３００に出力される。
遅延測定装置３００は、変化時刻測定装置１０４からの時刻情報と変化時刻測定装置１０８からの時刻情報とを比較することで、ＯＦＤＭ変調装置１０３の処理時間を求める。
【００２９】
このようにすれば、遅延測定装置３００は、ＯＦＤＭ変調装置１０３の遅延時間を求めることができる。その際、ＡＣデータとＯＦＤＭ変調装置１０３の出力との関係は、ＩＳＤＢ−Ｔ方式のＯＦＤＭ信号がフレーム及びシンボル構造をとる都合で遅延時間が測定毎に変化しないようにＡＣ−ＴＥＳＴ信号生成装置１０２の信号発生方法を制限する対策が必要となる。
また、その遅延時間と放送局１００から受信側測定装置２００への伝送により生じる遅延時間からＯＦＤＭ信号の伝搬遅延時間の測定も簡単に行える。この場合、遅延測定装置３００は、図３に示す制御処理を実行すればよい。
【００３０】
すなわち、変化時刻測定装置１０４からのＡＣデータの変更時刻情報Ｔ１が到来すると（ステップＳＴ３ａ）、遅延測定装置３００はこの変更時刻情報Ｔ１をバッファ（図示せず）に保持し（ステップＳＴ３ｂ）、変化時刻測定装置１０８から、ＯＦＤＭ変調装置１０３の出力を直接ＢＰＦ１０７に通した際に得られる検出時刻情報Ｔ３が所定時間内に到来するか否かの判断を行う（ステップＳＴ３ｃ）。
【００３１】
そして、検出時刻情報Ｔ３が得られたならば（Ｙｅｓ）、遅延測定装置３００はこの検出時刻情報Ｔ３から上記変更時刻情報Ｔ１を差し引くことにより、ＯＦＤＭ変調装置１０３の処理にかかる遅延時間Ｔ４を求め（ステップＳＴ３ｄ）、続いて変化時刻測定装置２０６から、ＯＦＤＭ変調装置１０３の出力を送信装置１０５、送信アンテナ１０６、受信アンテナ２０２及び受信装置２０３経由でＢＰＦ２０５に通した際に得られる検出時刻情報Ｔ２が所定時間内に到来するか否かの判断を行う（ステップＳＴ３ｅ）。
【００３２】
ここで、検出時刻情報Ｔ２が得られたならば（Ｙｅｓ）、遅延測定装置３００はこの検出時刻情報Ｔ２から上記変更時刻情報Ｔ１を差し引くことにより、ＯＦＤＭ変調装置１０３の処理、放送局１００から受信側測定装置２００へのＯＦＤＭ信号の伝搬に要した遅延時間Ｔ５を求め（ステップＳＴ３ｆ）、この遅延時間Ｔ５から上記遅延時間Ｔ４を差し引くことにより、放送局１００から受信側測定装置２００へのＯＦＤＭ信号の伝搬に要した遅延時間Ｔ６を求め（ステップＳＴ３ｇ）、この遅延時間Ｔ６をバッファに保持する。
【００３３】
なお、上記ステップＳＴ３ｅにおいて、所定時間内に検出時刻情報Ｔ２が到来しないならば（Ｎｏ）、上記遅延時間Ｔ４をバッファに保持する。
また、上記ステップＳＴ３ｃにおいて、遅延測定装置３００は検出時刻情報Ｔ３の到来を監視するとともに、検出時刻情報Ｔ２が到来するか否かを監視し（ステップＳＴ３ｈ）、ここで到来しないならば（Ｎｏ）、新たな変更時刻情報Ｔ１が到来するまで上記変更時刻情報Ｔ１をバッファにそのまま保持しておき、到来したならば（Ｙｅｓ）、検出時刻情報Ｔ２から上記変更時刻情報Ｔ１を差し引くことにより、ＯＦＤＭ変調装置１０３の処理、放送局１００から受信側測定装置２００へのＯＦＤＭ信号の伝搬に要した遅延時間Ｔ５を求め（ステップＳＴ３ｉ）、この遅延時間Ｔ５をバッファに保持する。
【００３４】
なお、上記実施形態では、地上デジタル放送システムの場合について説明したが、本発明はこれに限定されるものではなく、無変調時の位相が常に連続となる特定キャリアを有する伝送信号を取り扱うシステムであるならば適用可能である。この場合、送信側で特定キャリアの信号波形を変更し、受信側で波形変更に伴う特定キャリアの信号成分の波形変化を観測するだけで、伝送信号の伝送遅延時間を容易に測定することができる。
その他、放送局及び受信側測定装置の構成や種類、特定キャリアの種類、遅延時間測定方法等についても、この発明の要旨を逸脱しない範囲で種々変形して実施できる。
【００３５】
【発明の効果】
以上詳述したようにこの発明によれば、簡易な構成で、測定側の処理負担を軽減し、これにより伝送区間における伝送信号の伝送遅延時間を容易に測定し得る伝送遅延時間測定システムとその測定方法を提供することができる。
【図面の簡単な説明】
【図１】この発明の一実施形態に係る地上デジタル放送システムの概略構成を示すブロック図。
【図２】この発明の他の実施形態係る地上デジタル放送システムの概略構成を示すブロック図。
【図３】上記各実施形態に係る地上デジタル放送システムを利用して、放送局から受信側測定装置へのＯＦＤＭ信号の伝搬時間のみを算出する場合の遅延測定装置の制御処理手順及びその処理内容を示すフローチャート。
【図４】従来考えられていた伝送遅延量を測定するためのシステム構成の一例を示すブロック図。
【図５】従来考えられていた伝送遅延量を測定するためのシステム構成の他の例を示すブロック図。
【符号の説明】
１００…放送局、
１０１，２０１…ＧＰＳ受信機、
１０２…ＡＣ−ＴＥＳＴ信号生成装置、
１０３…ＯＦＤＭ変調装置、
１０４，１０８，２０６…変化時刻装置、
１０５…送信装置、
１０６…送信アンテナ、
１０７…ＢＰＦ、
２００…受信側測定装置、
２０２…受信アンテナ、
２０３…受信装置、
２０４…ＯＦＤＭ復調装置、
３００…遅延測定装置、
Ｇ…ＧＰＳ衛星。
【図１】
2004104236.tif 000003
【図２】
2004104236.tif 000004
【図３】
2004104236.tif 000005
【図４】
2004104236.tif 000006
【図５】
2004104236.tif 000007